(57)【要約】【課題】  作業効率が向上し、かつコスト低減が図れる線状体の固定方法を提供する。【解決手段】  尻手ロープ２を電柱Ｐ１に取り付けて当該尻手ロープ２により吊線１（線状体）の一方側の端部を支持し、張線装置５を電柱Ｐ３に取り付け、掴線装置４によって吊線１の他方側の掴持位置１０１を掴持するとともに、この掴線装置４と連結された張線装置５によって当該掴線装置４を電柱Ｐ３側に引っ張ることにより電柱間に吊線１が張設された状態とする。さらに、当該吊線１が張設された状態において、吊線１の掴持位置１０１よりも電柱Ｐ３に近い掴持位置１０２を掴線装置６によって掴持するとともに、尻手ロープ７を電柱Ｐ３に取り付けることによって掴線装置６を支持した後、掴線装置４による吊線１の掴持状態を解除することにより、尻手ロープ２、７と掴線装置６とによって吊線１が張設された状態とする。【選択図】  図１
2005184936.tif 000002
【特許請求の範囲】
【請求項１】
電柱間における線状体の固定方法であって、線状体を支持するための支持手段を一方の電柱に取り付けて当該支持手段によって線状体の一方側の端部を支持し、線状体に張力を付与するための張線手段を他方の電柱に取り付け、線状体を掴持するための掴線手段によって線状体の他方側の所定部位を掴持するとともに、当該掴線手段と連結された前記張線手段によって掴線手段を他方の電柱側に引っ張ることにより電柱間に線状体が張設された状態とすることを特徴とする線状体の固定方法。
【請求項２】
前記支持手段は、所定の紐体からなるものとし、かつ電柱に巻き付けた状態で取り付けられることを特徴とする請求項１記載の線状体の固定方法。
【請求項３】
前記支持手段はフックを備えたものとし、前記線状体は、当該線状体の一方側の端部が環状に形成されたものとし、前記支持手段におけるフックを前記線状体の環状部に掛止することにより、当該支持手段による前記線状体の一方側の端部の支持を行うことを特徴とする請求項１又は２記載の線状体の固定方法。
【請求項４】
電柱間における線状体の固定方法であって、線状体を支持するための第１の支持手段を一方の電柱に取り付けて当該第１の支持手段によって線状体の一方側の端部を支持し、線状体に張力を付与するための張線手段を他方の電柱に取り付け、線状体を掴持するための第１の掴線手段によって線状体の他方側の所定部位を掴持するとともに、当該第１の掴線手段と連結された前記張線手段によって第１の掴線手段を他方の電柱側に引っ張ることにより電柱間に線状体を張設し、当該張設された状態において、線状体の他方側における、前記第１の掴線手段による線状体の掴持位置よりも他方の電柱に近い位置を第２の掴線手段によって掴持するとともに、第２の掴線手段を支持するための第２の支持手段を他方の電柱にさらに取り付けて当該第２の支持手段によって第２の掴線手段を支持した後、第１の掴線手段による線状体の掴持状態を解除することにより前記第１及び第２の支持手段と第２の掴線手段とによって線状体が張設された状態とすることを特徴とする線状体の固定方法。
【請求項５】
前記第１及び第２の支持手段は、所定の紐体からなるものとし、かつ電柱に巻き付けた状態で取り付けられることを特徴とする請求項４記載の線状体の固定方法。
【請求項６】
前記第１の支持手段はフックを備えたものとし、前記線状体は、当該線状体の一方側の端部が環状に形成されたものとし、前記第１の支持手段におけるフックを前記線状体の環状部に掛止することにより、当該第１の支持手段による前記線状体の一方側の端部の支持を行うことを特徴とする請求項４又は５記載の線状体の固定方法。
【請求項７】
前記第２の支持手段はフックを備えたものとし、前記第２の掴線手段は、前記フックを掛止するための掛止用穴が形成されたものとし、前記第２の支持手段におけるフックを前記第２の掴線手段の掛止用穴に掛止することにより、当該第２の支持手段による前記第２の掴線手段の支持を行うことを特徴とする請求項４〜６のいずれかに記載の線状体の固定方法。
【請求項８】
前記線状体として、合成樹脂繊維を撚り合せてなるロープを用いることを特徴とする請求項１〜７のいずれかに記載の線状体の固定方法。
【発明の詳細な説明】
【技術分野】
【０００１】
本発明は、電柱間にケーブル等を架設する際の線状体の固定方法に関するものである。
【背景技術】
【０００２】
従来、例えば、送配電線工事を行う際の作業停電を回避又は極小化するべく電力供給ルートを一時的に切り替えるためのケーブル（バイパスケーブル）を架設する工事等において、電柱間に上記ケーブルを吊架する吊線（線状体）を固定する方法としては、図９に示すような方法が採用されている。すなわち、まず、図９（ａ）において、複数（ここでは電柱９１〜９３の３本）の電柱うち両端の電柱の所定高さ位置に、吊線（メッセンジャーワイヤ）９４を固定するための吊線バンド９５（支線バンド）を取り付け、吊線９４の一端において連結された引線（延線用ロープ）９６を、各電柱間に架け渡すようにして電柱の吊線バンド９５の取り付け位置辺りまで持って上がる。ここで、上記吊線バンド９５の一例を図１０に示す。図１０に示すように、吊線バンド９５は、電柱に巻着されるバンド部９５１と、ボルト・ナット等からなる締結部９５２とを備え、バンド部９５１を巻着して締結部９５２を締め付けることにより電柱に取り付けられる。なお、締結部９５２における符号９５３に示すボルト位置には、吊線９４の端部（環状部）にある後述するシンブル９４４が挿通される。
【０００３】
次に、図９（ｂ）において、上記引線９６を用いて吊線９４を電柱９３側から電柱９１側に牽引することにより、吊線９４を電柱９１、９３間に架け渡し、そして、吊線９４の一端に後述する巻付グリップ９４３を取り付け、この巻付グリップ９４３における環状部９４１を電柱９１に取り付けられた吊線バンド９５（締結部９５２のボルト位置）に掛止する。
【０００４】
ここで、上記巻付グリップ９４３について説明する。巻付グリップ９４３は、図１１に示すように、当該巻付グリップ９４３の略中間部位で１８０°折り返されてループ部（環状部９４１）が形成されてなるものであり、この巻付グリップ９４３を吊線９４に取り付ける際には、まず、巻付グリップ９４３の一端側における巻付部９４３ａを吊線９４の端部に巻き付け、その後、巻付グリップ９４３の他端側における折り返し部９４３ｂを、当該巻着状態の巻付部９４３ａの上から巻き付ける（撚り掛ける）。ただし、図１１は、撚り掛け前の状態を示している。
【０００５】
なお、巻付グリップ９４３を吊線９４に取り付ける際（折り返し部９４３ｂを巻付部９４３ａに撚り掛ける際）、環状部９４１内には、外周部に例えば円弧状の溝部が形成されてなるリング状のシンブル９４４が、当該溝部に環状部９４１の巻付グリップ９４３が嵌入された状態で挟持されるようにして取り付けられる（収められる）。
【０００６】
次に、図９（ｃ）において、吊線９４の電柱９３側（符号９４５に示す箇所）を、掴線装置９７で掴むとともに、電柱９３に固定された張線装置９８によって当該掴線装置９７を電柱９３側に引っ張ることにより、電柱９１、９３間に吊線９４を張線する。この場合、張線装置９８の張線部は、掴線装置９７の掴持レバーに連結され、張線装置９８による掴線装置９７への引張力の付加により、掴線装置９７の吊線９４に対する掴持力が生成されるとともに、吊線９４への張線力が与えられる構成とされるのが一般的である。なお、張線装置９８の電柱９３への固定は、張線装置９８に備えられた尻手ワイヤ９８１等による電柱９３への巻着によって行われる。
【０００７】
その後、この張線された吊線９４における電柱９３側の所定箇所（例えば符号９４２に示す箇所）を切断することにより、電柱９１、９３間の架設に必要な（好適な）長さ分の吊線９４を取り分ける。
【０００８】
そして、図９（ｄ）において、吊線９４の他端側（電柱９３側の端部）に、上記吊線９４の一端側（環状部９４１側）と同様に巻付グリップ９４３を取り付け、上記掴線装置９７及び張線装置９８により吊線９４を張線した状態で、この巻付グリップ９４３における環状部９４６を上記と同様に、電柱９３に取り付けられた吊線バンド９５に掛止する。その後、張線装置９８による引っ張りを弛め（掴線装置９７及び張線装置９８を取り外し）、吊線９４及び吊線バンド９５のみによって当該吊線９４が電柱９１、９３間に張線された状態で固定する。
【０００９】
上述のように、電柱に吊線バンドを取り付け、この吊線バンドに吊線の端部を掛止して電柱間に吊線を張設することに関しては、例えば特許文献１に示されている。
【００１０】
なお、本線の工事が終了し、図９（ｄ）に示すように張線された状態から吊線９４を撤去する場合には、吊線９４の一端を上記図９（ｃ）に示すように掴線装置９７及び張線装置９８により引っ張っておき、吊線バンド９５に掛止している環状部９４６を外すとともに、他方の環状部９４１も吊線バンド９５から外す。その後、吊線バンド９５を各電柱から取り外す。
【特許文献１】特開平９−２９４３２６号公報
【発明の開示】
【発明が解決しようとする課題】
【００１１】
しかしながら、上記従来技術では、吊線バンド９５を電柱に取り付けるとともに、吊線
９４を（引線９６等の牽引により）電柱間に架け渡し、吊線９４の一端を切断して電柱間の距離相当分だけ取り分け、この取り分けた吊線９４の両端に巻付グリップ９４３を取り付けて当該巻付グリップ９４３における環状部９４１、９４２を吊線バンド９５に掛止するという手間のかかる工程を要してしまう。また、当該切断して取り分けた吊線９４は、工事終了後その両端部の巻付グリップ９４３とともに廃棄され、すなわち、吊線９４及び巻付グリップ９４３は工事毎の消耗品となり、資源節約という観点からも問題であった。
【００１２】
本発明は上記事情に鑑みてなされたもので、電柱に吊線バンドを取り付け、当該吊線バンドに掛止するべく吊線を切断してその両端部に巻付グリップを取り付けるなどといった手間のかかる作業を行うことなく容易に吊線が固定（張設）でき、すなわち、吊線架設時における作業効率を向上でき、かつ、吊線や巻付グリップを消耗品とすることなくコスト低減を図ることのできる線状体の固定方法を提供することを目的とする。
【課題を解決するための手段】
【００１３】
請求項１記載の発明は、電柱間における線状体の固定方法であって、線状体を支持するための支持手段を一方の電柱に取り付けて当該支持手段によって線状体の一方側の端部を支持し、線状体に張力を付与するための張線手段を他方の電柱に取り付け、線状体を掴持するための掴線手段によって線状体の他方側の所定部位を掴持するとともに、当該掴線手段と連結された前記張線手段によって掴線手段を他方の電柱側に引っ張ることにより電柱間に線状体が張設された状態とすることを特徴とする線状体の固定方法である。
【００１４】
請求項２記載の発明は、上記請求項１記載の線状体の固定方法において、前記支持手段は、所定の紐体からなるものとし、かつ電柱に巻き付けた状態で取り付けられることを特徴とする。
【００１５】
請求項３記載の発明は、上記請求項１又は２記載の線状体の固定方法において、前記支持手段はフックを備えたものとし、前記線状体は、当該線状体の一方側の端部が環状に形成されたものとし、前記支持手段におけるフックを前記線状体の環状部に掛止することにより、当該支持手段による前記線状体の一方側の端部の支持を行うことを特徴とする。
【００１６】
請求項４記載の発明は、電柱間における線状体の固定方法であって、線状体を支持する
ための第１の支持手段を一方の電柱に取り付けて当該第１の支持手段によって線状体の一方側の端部を支持し、線状体に張力を付与するための張線手段を他方の電柱に取り付け、線状体を掴持するための第１の掴線手段によって線状体の他方側の所定部位を掴持するとともに、当該第１の掴線手段と連結された前記張線手段によって第１の掴線手段を他方の電柱側に引っ張ることにより電柱間に線状体を張設し、当該張設された状態において、線状体の他方側における、前記第１の掴線手段による線状体の掴持位置よりも他方の電柱に近い位置を第２の掴線手段によって掴持するとともに、第２の掴線手段を支持するための第２の支持手段を他方の電柱にさらに取り付けて当該第２の支持手段によって第２の掴線手段を支持した後、第１の掴線手段による線状体の掴持状態を解除することにより前記第１及び第２の支持手段と第２の掴線手段とによって線状体が張設された状態とすることを特徴とする線状体の固定方法である。
【００１７】
請求項５記載の発明は、上記請求項４記載の線状体の固定方法において、前記第１及び第２の支持手段は、所定の紐体からなるものとし、かつ電柱に巻き付けた状態で取り付けられることを特徴とする。
【００１８】
請求項６記載の発明は、上記請求項４又は５記載の線状体の固定方法において、前記第１の支持手段はフックを備えたものとし、前記線状体は、当該線状体の一方側の端部が環状に形成されたものとし、前記第１の支持手段におけるフックを前記線状体の環状部に掛止することにより、当該第１の支持手段による前記線状体の一方側の端部の支持を行うことを特徴とする。
【００１９】
請求項７記載の発明は、上記請求項４〜６のいずれかに記載の線状体の固定方法において、前記第２の支持手段はフックを備えたものとし、前記第２の掴線手段は、前記フックを掛止するための掛止用穴が形成されたものとし、前記第２の支持手段におけるフックを前記第２の掴線手段の掛止用穴に掛止することにより、当該第２の支持手段による前記第２の掴線手段の支持を行うことを特徴とする。
【００２０】
請求項８記載の発明は、上記請求項１〜７のいずれかに記載の線状体の固定方法において、前記線状体として、合成樹脂繊維を撚り合せてなるロープを用いることを特徴とする。
【発明の効果】
【００２１】
請求項１記載の発明によれば、線状体を支持するための第１の支持手段が一方の電柱に取り付けられて当該第１の支持手段によって線状体の一方側の端部が支持され、線状体に張力を付与するための張線手段が他方の電柱に取り付けられて、線状体を掴持するための第１の掴線手段によって線状体の他方側の所定部位が掴持されるとともに、当該第１の掴線手段と連結された張線手段によって第１の掴線手段が他方の電柱側に引っ張られることにより電柱間に線状体が張設された状態とされる。
【００２２】
このような線状体の固定方法を用いると、例えば支線バンドを電柱に取り付けたり、線状体を切断して両端に巻付グリップを巻き付けて（取り付けて）掛止部を作成するといった手間のかかる作業が省略でき、より簡易な方法で線状体を固定できるため、ひいては作業効率を向上させることができる。また、線状体や巻付グリップ等を使い捨てするといったことがなく、すなわち、消耗品を少なくすることができ、ひいてはコスト低減を図ることができる。
【００２３】
請求項２記載の発明によれば、支持手段は、所定の紐体からなるものとされ、かつ電柱に巻き付けた状態で取り付けられるため、支持手段を容易に電柱に取り付けることができる。
【００２４】
請求項３記載の発明によれば、支持手段はフックを備えたものとされ、線状体は、当該線状体の一方側の端部が環状に形成されたものとされ、支持手段におけるフックが線状体の環状部に掛止されることにより、当該支持手段による線状体の一方側の端部の支持が行われる。これにより、支持手段による線状体の一方側の端部の支持を容易に行うことができる。
【００２５】
請求項４記載の発明によれば、線状体を支持するための第１の支持手段が一方の電柱に取り付けられて当該第１の支持手段によって線状体の一方側の端部が支持され、線状体に張力を付与するための張線手段が他方の電柱に取り付けられて、線状体を掴持するための第１の掴線手段によって線状体の他方側の所定部位が掴持されるとともに、当該第１の掴線手段と連結された張線手段によって第１の掴線手段が他方の電柱側に引っ張られることにより電柱間に線状体が張設され、当該張設された状態において、線状体の他方側における、第１の掴線手段による線状体の掴持位置よりも他方の電柱に近い位置が第２の掴線手段によって掴持されるとともに、第２の掴線手段を支持するための第２の支持手段が他方の電柱にさらに取り付けられて当該第２の支持手段によって第２の掴線手段が支持された後、第１の掴線手段による線状体の掴持状態が解除されることにより前記第１及び第２の支持手段と第２の掴線手段とによって線状体が張設された状態とされる。
【００２６】
このような線状体の固定方法を用いると、例えば支線バンドを電柱に取り付けたり、線
状体を切断して両端に巻付グリップを巻き付けて掛止部を作成するといった手間のかかる作業が省略でき、簡易かつより確実な方法で線状体を固定できるため、ひいては作業効率を向上させることができる。また、線状体や巻付グリップ等を使い捨てするといったことがなく、すなわち、消耗品を少なくすることができ、ひいてはコスト低減を図ることができる。
【００２７】
請求項５記載の発明によれば、第１及び第２の支持手段は、所定の紐体からなるものとされ、かつ電柱に巻き付けた状態で取り付けられるため、第１及び第２の支持手段を容易に電柱に取り付けることができる。
【００２８】
請求項６記載の発明によれば、第１の支持手段はフックを備えたものとされ、線状体は、当該線状体の一方側の端部が環状に形成されたものとされ、第１の支持手段におけるフックが線状体の環状部に掛止されることにより、当該第１の支持手段による線状体の一方側の端部の支持が行われる。これにより、第１の支持手段による線状体の一方側の端部の支持を容易に行うことができる。
【００２９】
請求項７記載の発明によれば、第２の支持手段はフックを備えたものとされ、第２の掴線手段は、フックを掛止するための掛止用穴が形成されたものとされ、第２の支持手段におけるフックが第２の掴線手段の掛止用穴に掛止されることにより、当該第２の支持手段による第２の掴線手段の支持が行われる。これにより、第２の支持手段による第２の掴線手段の支持を容易に行うことができる。
【００３０】
請求項８記載の発明によれば、合成樹脂繊維を撚り合せてなるロープを線状体として用いることができるため、ワイヤー製等の線状体と比べ、柔軟性が高く例えば折り畳んだり巻回し易くなり、また、軽量であり持ち運びし易くなり（電柱上に持ち上げ易くなり）、ひいては取り扱い性が向上する。
【発明を実施するための最良の形態】
【００３１】
以下、本発明の一実施の形態として、線状体が、ケーブル（バイパスケーブル）を吊架する場合等に用いられる吊線である場合について図面を参照しながら説明する。
【００３２】
図１は、本発明の一実施の形態による吊線の固定方法の一例を示す概略図である。図１（ａ）において、複数の電柱（ここでは、３本の電柱Ｐ１〜Ｐ３）間に吊線１（吊線ロープ）を延線し、当該延線された吊線１を各電柱における所定の高さ位置まで持ち上げる。
【００３３】
上記吊線１は、ケブラー（デュポン社の商品名）繊維（アラミド繊維）等の合成樹脂繊維が撚り合わされてなるロープ（ケブラーロープ）からなっている。具体的には、吊線１は、ケブラー繊維が撚り合わされてなる軸部に、ポリエステル繊維が皮膜状に巻き付けられてなる、例えば約１０ｍｍの径を有するロープである。
【００３４】
また、吊線１の一方側の端部は、後述するフック３に掛止するべく例えば環状に形成されてなる掛止部１ａを備えている。また、吊線１の他方側は、電柱Ｐ１、Ｐ３間の架設に
使用されない余長部１ｂとなっており、この余長部１ｂは、例えば輪状に巻回された状態
にされている。
【００３５】
次に、図１（ｂ）において、電柱Ｐ１の所定の高さ位置に尻手ロープ２（第１の支持手段、又は請求項１記載の支持手段）を巻き付けて取り付けるとともに、当該尻手ロープ２にフック３を取り付け、このフック３に吊線１の掛止部１ａを掛止することによって、吊線１の一方側の端部を電柱Ｐ１に対して固定する。一方、吊線１における他方側（電柱Ｐ３側）の所定位置（掴持位置１０１）を、掴線装置４（第１の掴線手段、又は請求項１記載の掴線手段）で掴持するとともに、電柱Ｐ３に対して固定された張線装置５によって、当該吊線１を掴持した状態の掴線装置４を電柱Ｐ３側に引っ張ることにより、電柱Ｐ１、Ｐ３間に吊線１を張線する。
【００３６】
なお、張線装置５の電柱Ｐ３への固定は、張線装置５と連結された尻手ワイヤ５０（ワイヤーロープ）による電柱Ｐ３への巻着によって行われる。また、吊線１における掛止部１ａを吊線１の先端とすると、この先端から掴持位置１０１までの区間は張線された状態となっており、掴持位置１０１より後端側の部位は弛んだ状態（所謂自由端）となっている。また、吊線１の余長部１ｂは、上記輪状に巻回された状態で電柱Ｐ３の所定箇所に掛止されるなどして、電柱Ｐ３上に置かれていてもよい。
【００３７】
次に、図１（ｃ）において、吊線１を掴線装置４及び張線装置５により引っ張った状態（掛止部１ａ、掴持位置１０１間を張線した状態）にしておき、吊線１における掴持位置１０１よりもさらに電柱Ｐ３側に近接した位置（掴持位置１０２）を、掴線装置６（第２の掴線手段）によって掴持するとともに、電柱Ｐ３の所定の高さ位置に尻手ロープ７（第２の支持手段）を巻き付けて取り付け、当該尻手ロープ７に取り付けられたフック８に、掴線装置６の後述する取付孔２４ａに掛止することにより、吊線１の他方側を電柱Ｐ３に固定する。ただし、（尻手ロープ７及びフック８によって電柱Ｐ３に支持された状態の）掴線装置６によって吊線１を掴持する際は、掴持位置１０１、１０２間の吊線１が弛まないように、手などによって吊線１を引っ張った状態にしておいて掴持する。
【００３８】
そして、図１（ｄ）において、張線装置５による吊線１の引っ張りを弛め（掴線装置４
、張線装置５及び尻手ワイヤ５０を取り外し）、尻手ロープ２、７、フック３、８及び掴線装置６によって当該吊線１を電柱Ｐ１、Ｐ３間に張設した状態で固定する。
【００３９】
なお、ケーブル架設等の作業期間が例えば１日といった短期間の場合、図１（ｂ）に示すように、尻手ロープ２、フック３、掴線装置４、張線装置５及び尻手ワイヤ５０によって吊線１が張設された状態を、電柱間における吊線１の固定の完了状態としてもよい。また、作業期間が例えば数日間に亘って行われるといった長期間の場合には、図１（ｄ）に示すように、尻手ロープ２、フック３、掴線装置６、フック８及び尻手ロープ７によって吊線１が張設された状態を、電柱間における吊線１の固定の完了状態としてもよい。このように、作業期間に応じて電柱間における吊線１の固定方法を使い分けることが好ましい。
【００４０】
ここで、上記図１に示す吊線１の固定方法において用いた、掴線装置４、６、張線装置５、尻手ロープ２、７及びフック３、８等について、図２〜５を用いて詳細に説明する。
図２は、掴線装置４、６の一例を示す概略構成図である。図２に示すように、掴線装置４、６は、吊線１を掴持するための第１掴持片２１及び第２掴持片２２と、第１掴持片２１と第２掴持片２２とを可動状態に連結する第１レバー２３と、第１レバー２３の端部に先端が連結された第２レバー２４とを備えている。
【００４１】
第１掴持片２１と第１レバー２３、第２掴持片２２と第１レバー２３、及び第１レバー２３と第２レバー２４とは、それぞれ軸２５、２６、２７によって回動自在に連結されている。また、第１掴持片２１の端部２１ａは、符号２０１に示すように、第２レバー２４の長手方向の貫通孔が形成されており、この貫通孔に第２レバー２４が挿通されている。
【００４２】
第２レバー２４における、軸２７と反対側の端部は、取付孔２４ａが形成されており、この取付孔２４ａには、フック８が掛止されたり、後述する張線装置５のジョイントボルト４０１が嵌入される。
【００４３】
符号２０２に示す図は、第１掴持片２１と第２掴持片２２とを正面から見た図であり、これら第１掴持片２１と第２掴持片２２とによって形成される間隙部２０３において吊線１が挟み込まれる。
【００４４】
掴線装置４、６は、第２レバー２４が符号Ａに示す矢印方向に引っ張られると、その引張力に応じて、第１掴持片２１、第２掴持片２２及び第１レバー２３が連動して間隙部２０３が狭まり（第１掴持片２１と第２掴持片２２との間隔が狭まり）、これにより、間隙
部２０３において、第１掴持片２１及び第２掴持片２２によって、吊線１が（図中の上下
両側から）挟み込まれるようにして掴持される。
【００４５】
ところで、掴線装置４、６は、例えば図３に示すように脱落防止カバー２８及び作動規制部材２９を備えたものであってもよい。脱落防止カバー２８は、軸３０を支点として第１掴持片２１に回動自在に取り付けられている。この脱落防止カバー２８のガイド孔２８ａには、第１掴持片２１側に固設されたガイドピン３１が摺接自在に挿通されている。脱落防止カバー２８は、間隙部２０３に吊線１が挟み込まれた状態において、当該脱落防止カバー２８の上端部に形成された操作孔２８ｂに工具等を挿入して押し下げ操作されることにより、軸３０を支点として下方（符号Ｂに示す矢印方向）に回動し、吊線１上を塞いだ状態にする。これにより、間隙部２０３において挟持された吊線１が脱落する（外れる）ことを防止できる。
【００４６】
作動規制部材２９は、軸状体の中央部付近に雄ねじ部３２が形成されており、一端にリング体３３、他端に抜け止め用鍔部３４がそれぞれ一体的に設けられている。一方、第１掴持片２１の裏面部には、保持孔（図略）を有する保持ブロック体３５が回動可能に取り付けられている。また、第１レバー２３の裏面部には、雌ねじ部３６を有する軸体３７が回動可能に取り付けられている。作動規制部材２９は、保持ブロック体３５の保持孔に遊挿状態に挿通されるとともに、軸体３７の雌ねじ部３６に雄ねじ部３２が螺合され、第１掴持片２１、第１レバー２３間に架設されている。作動規制部材２９は、各掴持片によって吊線１が掴持されている場合に、リング体３３を操作して作動規制部材２９を符号Ｅに示す方向に螺進させて抜け止め用鍔部３４と保持ブロック体３５との距離を狭めておくことにより、例えば第２レバー２４に対して符号Ｃに示す矢印方向に何らかの衝撃力が加わるなどした場合に、第１レバー２３が符号Ｄに示す矢印方向に回動することを規制し（間隙部２０３の隙間が大きくなることを防止し）、第１掴持片２１及び第２掴持片２２によって掴持されている吊線１が脱落することを防止できる。
【００４７】
図４は、張線装置５の一例を示す概略構成図である。図４に示すように、張線装置５は、掴線装置４を取り付けるための掴線装置取付部４０、電柱（電柱等の支持基体）に取り付けられる本体部４２、本体部４２と掴線装置取付部４０との間に配設され、本体部４２のハンドル操作によって掴線装置取付部４０を本体部４２側に引き寄せるように動作する牽引部４４と、本体部４２を電柱に取り付けるための本体取付部４６とを備えている。
【００４８】
掴線装置取付部４０は、掴線装置４の取付孔２４ａに嵌入可能なジョイントボルト４０１と、このジョイントボルト４０１を間口開閉可能に支持するＵ字形部材４０２と、このＵ字形部材４０２を、先端部において回転軸Ｑ回りに回転自在に支持し、基端部に滑車４０４を回転自在に支持する基部４０３とを有している。この掴線装置取付部４０（ジョイントボルト４０１）には、地上等において予め掴線装置４を取り付けておくことができる。
【００４９】
本体部４２は、当該本体部の略両端側の固定ボルト４２１、４２２及び中央部のドラム
軸ボルト４２３によって互いに一定間隔をとって設けられた２枚の側板４２４と、ドラム軸ボルト４２３に取り付けられた巻取装置４２５と、先端側の固定ボルト４２１に支持された後述するワイヤ４４１をガイドするためのガイド部４２６とを備えている。
【００５０】
巻取装置４２５は、２枚の側板４２４間に配設され、ドラム軸ボルト４２３回りに回転するドラム回転軸４２３ａに支持され、牽引部４４のワイヤ４４１を巻き取るドラム４２７と、一方の側板４２４の外部に設けられ、ドラム４２７のドラム回転軸４２３ａに固定されたブレーキギア４２８と、ドラム回転軸４２３ａに取り付けられ、切換レバー４２９によってドラム４２７の回転方向を切り換え可能なラチェットハンドル４３０とを備えている。基端側の固定ボルト４２２には、止爪４３１と、止爪４３１の爪部４３１ａをブレーキギア４２８に噛み合わせるように付勢する巻バネ４３２とが枢支されており、ドラム４２７の回動方向を一方向に制限することができる。
【００５１】
張力の懸かったワイヤ４４１をドラム４２７に巻き取る場合には、ラチェットハンドル４３０の切換レバー４２９を例えば「巻」位置にして、当該ラチェットハンドル４３０のハンドル部４３０ａを符号Ｓに示す方向に往復揺動させ、ドラム４２７を符号Ｔに示す巻方向にのみ回転させて、上記張力により巻き戻されないようにして確実に巻き取ることができる。また、張力の懸かっていないワイヤ４４１をドラム４２７に巻き取る場合には、ドラム回転軸４２３ａに固定された蝶座金４３３を直接手で回すことにより、素早く巻き取ることができる。
【００５２】
なお、ワイヤ４４１を延ばす（ドラム４２７から巻き戻す）場合には、止爪４３１のレバー部４３１ｂを押して爪部４３１ａをブレーキギア４２８から外すことにより、ドラム４２７の回転方向の制限を解除することができる。この場合、ラチェットハンドル４３０の切換レバー４２９を例えば「戻」位置にすることにより、ワイヤ４４１を引っ張ってドラム４２７から巻き戻そうとしてもハンドル部４３０ａが回動しないようにすることができる。
【００５３】
牽引部４４は、当該牽引部４４の符号４４ａに示す部位が、本体部４２の固定ボルト４
２１に固着されるとともに、掴線装置取付部４０の滑車４０４に巻回されて折り返され、符号４４ｂに示す部位がドラム４２７に巻き付けられるワイヤ４４１からなる。
【００５４】
本体取付部４６は、電柱に取り付けられる尻手ワイヤ５０が掛止されるジョイントボルト４６１と、ジョイントボルト４６１を間口開閉可能に支持するＵ字形部材４６２と、Ｕ字形部材４６２を回転軸Ｒ回りに回転自在に支持する基部４６３とを備えている。本体取
付部４６（ジョイントボルト４６１）には、地上等において予め尻手ワイヤ５０を、直接
あるいはフック等を介して取り付けておくことができる。
【００５５】
図５は、尻手ロープ２、７及びフック３、８の一例を示す概略図である。図５に示すように、尻手ロープ２、７は、所定の合成樹脂繊維（例えば上記ケブラー繊維）を撚り合せてなる所謂繊維ロープ（紐体）からなり、この繊維ロープが環状に形成されてなるものである。一方、フック３、８は、例えば金属製であり、外形が略Ｓ字状に形成されてなるものである。フック３、８は、一端側のフック部５１がそれぞれ尻手ロープ２、７の所定箇所に掛止され、他端側のフック部５２が、それぞれ上記図１（ｂ）に示すように吊線１の掛止部１ａに掛止されたり、あるいは上記図１（ｃ）に示すように掴線装置６の取付孔２４ａに掛止される。なお、尻手ロープ２、７は、それぞれフック３、８を備えたものとされていてもよく、すなわち、尻手ロープ２、７は、それぞれ地上等において予めフック３、８が取り付けられて（掛止されて）いてもよく、この場合、フック３、８のフック部５１は、掛止された尻手ロープ２、７が簡単に外れることを防止するべく、当該フック部５１の開口部の幅が狭くなるように（フック部５１が尻手ロープ２、７に巻き付けられるように）形成されていてもよい。
【００５６】
次に、図６〜８を用いて、上記図１における吊線１の電柱Ｐ１又はＰ３に対する各固定状態について詳細に説明する。図６は、上記図１（ｂ）に示す、吊線１の一端が電柱Ｐ１に固定された状態の一例を示す拡大図である。図６に示すように、電柱Ｐ１には尻手ロープ２が巻き付けられて電柱との摩擦力を利用して取り付けられて（固定されて）いる。この場合、環状の尻手ロープ２を１本の線状に折り畳んだ状態で電柱Ｐ１に巻き付けたときに当該尻手ロープ２の一端部２ａにおいて形成される環状となる部位に、電柱Ｐ１に回し込んだ（巻き付けた）他端部２ｂを挿通し、この挿通した状態の他端部２ｂを電柱Ｐ３側に引っ張るようにして取り付ける。そして、この一端部２ａに挿通された状態で環状となっている他端部２ｂに、フック３のフック部５１が掛止される。
【００５７】
一方、吊線１の掛止部１ａは、当該吊線１の端部が折り返された状態で例えば符号１ｂ
に示す箇所において吊線１に撚り付けるなどして接合されて形成された環状部からなる。この環状部内（掛止部１ａ）にシンブル６１が嵌入され、吊線１は、この掛止部１ａ（シンブル６１）によってフック３のフック部５２に掛止される。
【００５８】
なお、上記シンブル６１は、平面視リング状に形成されたものであり、外周部には例えば円弧状の溝部が形成されており、吊線１がこの溝部に嵌入された状態で上記掛止部１ａ
の環状部に取り付けられている（図１１参照）。
【００５９】
図７は、上記図１（ｂ）に示す、吊線１の他方側が、掴線装置４及び張線装置５等により電柱Ｐ３において支持された状態の一例を示す拡大図である。図７に示すように、吊線１の他方側は、掴持位置１０１において掴線装置４（第１掴持片２１及び第２掴持片２２）によって掴持されている。そして、この掴線装置４（第２レバー２４）と掴線装置取付部４０（ジョイントボルト４０１）において連結され、かつ電柱Ｐ３に尻手ワイヤ５０を用いて取り付けられた張線装置５によって、当該掴線装置４が電柱Ｐ３側に引っ張られることにより、電柱Ｐ１、Ｐ３間において吊線１が張線されている。
【００６０】
なお、上記張線装置５によって掴線装置４を引っ張る際には、張線装置５のラチェットハンドル４３０を操作し（ハンドル部４３０ａを往復揺動させ）、ドラム４２７による牽引部４４のワイヤ４４１の巻き取りを行い、掴線装置取付部４０を本体部４２に引き寄せることによって張力（引張力）を発生させる。
【００６１】
また、上記尻手ワイヤ５０は、所定のワイヤが環状に形成されてなるものであり、この一端には張線装置５の本体取付部４６（ジョイントボルト４６１）に掛止され、他端には略Ｓ字状のフック７１が取り付けられている。この尻手ワイヤ５０を用いて張線装置５を電柱Ｐ３に固定する際には、他端側を電柱Ｐ３に回し込むようにして尻手ワイヤ５０を電柱Ｐ３に巻き付けた後、当該他端側に取り付けられたフック７１を、尻手ワイヤ５０の一端側（張線装置５へ掛止されている側）に引っ掛ける。
【００６２】
図８は、上記図１（ｃ）に示す、吊線１の他方側が、掴線装置４及び張線装置５、並びに掴線装置６及び尻手ロープ７等により電柱Ｐ３において支持された状態の一例を示す拡大図である。図８に示すように、吊線１の他方側は、上記掴線装置４及び張線装置５（及びフック７１、尻手ワイヤ５０）によって引っ張られた状態で、上記掴持位置１０１よりもさらに電柱Ｐ３側の掴持位置１０２において掴線装置６（第１掴持片２１及び第２掴持片２２）によって掴持されている。一方、電柱Ｐ３には、尻手ロープ７が上記図６と同様にして取り付けられ、当該尻手ロープ７の他端部７ｂ（環状部）に取り付けられたフック８のフック部５２が、掴線装置６の第２レバー２４の端部の取付孔２４ａに掛止されている。これにより、吊線１の他方側が、掴持位置１０２において、掴線装置６及び尻手ロープ７（及びフック８）によって支持される。
【００６３】
なお、上述したように、掴線装置６及び尻手ロープ７（及びフック８）によって吊線１の他端側を支持する場合、掴持位置１０１、１０２間の吊線１（符号Ｚに示す区間の吊線１）が張った状態（弛んでいない状態）となるようにする。これにより、図１（ｄ）に示すように、張線装置５による引っ張りが弛められ、掴線装置４による吊線１の掴持状態が解除されたときに（掴線装置４及び張線装置５が取り外されたときに）、掛止部１ａ、掴持位置１０２間において吊線１を張線状態としておくことができる（掛止部１ａ、掴持位置１０２間の吊線１が弛むのを防止できる）。
【００６４】
また、図８においては、電柱Ｐ３における尻手ロープ７の取り付け位置は、尻手ワイヤ５０の取り付け位置より所定距離を置いた上方の位置となっているが、これに限らず、例えば尻手ワイヤ５０の取り付け位置より所定距離を置いた下方の位置であってもよいし、あるいは尻手ワイヤ５０と同等の位置であってもよい。
【００６５】
以上のとおり、本発明の線状体（吊線１）の固定方法によれば、吊線１を支持するための尻手ロープ２が一方の電柱Ｐ１に取り付けられて当該尻手ロープ２によって吊線１の一方側の端部が支持され、吊線１に張力を付与するための張線装置５が他方の電柱Ｐ３に取り付けられて、吊線１を掴持するための掴線装置４によって吊線１の他方側の所定部位が掴持されるとともに、当該掴線装置４と連結された張線装置５によって掴線装置４が他方の電柱Ｐ３側に引っ張られることにより電柱Ｐ１、Ｐ３間に吊線１が張設された状態となる。
【００６６】
このような固定方法を用いると、例えば支線バンド９５を電柱に取り付けたり、吊線１を切断して両端に巻付グリップ９４３を巻き付けて（取り付けて）掛止部を作成するといった手間のかかる作業が省略でき、より簡易な方法で吊線１を固定できるため、ひいては作業効率を向上させることができる。また、吊線１（電柱間の張設に用いるべく切断して取り分けた吊線１）や巻付グリップ９４３等を使い捨てするといったことがなく、すなわち、消耗品を少なくすることができ、ひいてはコスト低減を図ることができる。
【００６７】
また、本発明の線状体（吊線１）の固定方法によれば、吊線１を支持するための尻手ロープ２が一方の電柱Ｐ１に取り付けられて当該尻手ロープ２によって吊線１の一方側の端部が支持され、吊線１に張力を付与するための張線装置５が他方の電柱Ｐ３に取り付けられて、吊線１を掴持するための掴線装置４によって吊線１の他方側の所定部位が掴持されるとともに、当該掴線装置４と連結された張線装置５によって掴線装置４が他方の電柱Ｐ３側に引っ張られることにより電柱Ｐ１、Ｐ３間に吊線１が張設され、当該張設された状態において、吊線１の他方側における、掴線装置４による吊線１の掴持位置１０１よりも他方の電柱Ｐ３に近い掴持位置１０２が掴線装置６によって掴持されるとともに、掴線装置６を支持するための尻手ロープ７が他方の電柱Ｐ３にさらに取り付けられて当該尻手ロープ７によって掴線装置６が支持された後、掴線装置４による吊線１の掴持状態が解除されることにより尻手ロープ２、７と掴線装置６とによって吊線１が張設された状態となる。
【００６８】
このような固定方法を用いると、例えば支線バンド９５を電柱に取り付けたり、吊線１を切断して両端に巻付グリップ９４３を巻き付けて掛止部を作成するといった手間のかかる作業が省略でき、簡易かつより確実な方法で吊線１を固定できるため、ひいては作業効率を向上させることができる。また、吊線１（電柱間の張設に用いるべく切断して取り分けた吊線１）や巻付グリップ９４３等を使い捨てするといったことがなく、すなわち、消耗品を少なくすることができ、ひいてはコスト低減を図ることができる。
【００６９】
また、上記尻手ロープ２、７は、例えば繊維ロープといった紐体からなるものとされ、かつ電柱Ｐ１（Ｐ３）に巻き付けた状態で取り付けられるため、よって尻手ロープ２、７を容易に電柱に取り付けることができる。
【００７０】
また、尻手ロープ２はフック３を備えたものとされ、吊線１は、当該吊線１の一方側の端部が環状に形成されたものとされ、尻手ロープ２におけるフック３が吊線１の環状部（掛止部１ａ）に掛止されることにより、当該尻手ロープ２による吊線１の一方側の端部の支持が行われる。これにより、尻手ロープ２による吊線１の一方側の端部の支持を容易に行うことができる。
【００７１】
また、尻手ロープ７はフック８を備えたものとされ、掴線装置６は、このフック８を掛止するための取付孔２４ａが形成されたものとされ、尻手ロープ７におけるフック８が掴線装置６の取付孔２４ａに掛止されることにより、当該尻手ロープ７による掴線装置６の支持が行われる。これにより、尻手ロープ７による掴線装置６の支持を容易に行うことができる。
【００７２】
さらに、吊線１は、合成樹脂繊維を撚り合せてなるロープであるため、ワイヤー製等の吊線と比べ、柔軟性が高く例えば折り畳んだり巻回し易くなり、また、軽量であり持ち運びし易くなり（電柱上に持ち上げ易くなり）、ひいては取り扱い性が向上する。なお、本発明は以下の態様をとることができる。
【００７３】
（Ａ）吊線１は、必ずしも余長部１ｂがなくてもよい。すなわち、吊線１の長さは、掛止部１ａ、掴持位置１０２間の距離分の長さ（図１（ｃ）参照）であってもよい。また、余長部１ｂは、巻回された状態になっていなくてもよいし、電柱間に張設されたときに、当該余長部１ｂが電柱Ｐ３に掛止されて置かれていなくともよい（例えば地上に置かれていてもよい）。
【００７４】
（Ｂ）吊線１の掛止部1ａ（環状部）には、シンブル６１が取り付けられていなくてもよい。また、シンブル６１の代わりに当該掛止部１ａの吊線１を保護するための所定の保護具あるいは保護材が取り付けられていてもよい。
【００７５】
（Ｃ）張線装置５の電柱Ｐ３への取り付けに際しては、尻手ワイヤ５０を用いずともよく、例えば吊線バンド９５のような固定器具（固定装置）を用いてもよい。また、尻手ワイヤ５０のようなワイヤ製のロープを用いずともよく、例えば合成樹脂繊維を撚り合わせてなるロープ（繊維ロープ）を用いてもよい。
【００７６】
（Ｄ）線状体は、吊線１以外の例えば各種ケーブル（各種電線）であってもよく、この場合、本発明の線状体の固定方法を、当該各種ケーブル自体の架設（吊架）に適用してもよい。
【００７７】
（Ｅ）図５に示すフック３、８のフック部５１（フック３、８の尻手ロープ２、７への取り付け部）は、その先端がフック本体側に溶着されるなどして環状（リング状）に形成されているものであってもよい。この場合、ケーブル架設時に地上等において尻手ロープ２、７にフック３、８の一端部を掛止するといった作業を行うことなく、尻手ロープ２、７に既にフック３、８が取り付けられてなるもの（当該環状となっているフック部５１に、予め尻手ロープ２、７が挿通されてなるもの）を使用する。
【図面の簡単な説明】
【００７８】
【図１】本発明の一実施の形態による線状体の固定方法の一例を示す概略図であり、（ａ）は、電柱間における吊線の架け渡しに関する説明図、（ｂ）は、尻手ロープ、掴線装置及び張線装置等による吊線の固定に関する説明図、（ｃ）は、別の尻手ロープ及び別の掴線装置等を用いたさらなる吊線の支持に関する説明図、（ｄ）は、別の尻手ロープ及び別の掴線装置等による吊線の固定に関する説明図である。
【図２】掴線装置の一例を示す概略構成図である。
【図３】掴線装置の一例を示す概略構成図である。
【図４】張線装置の一例を示す概略構成図である。
【図５】尻手ロープ及びフックの一例を示す概略図である。
【図６】上記図１（ｂ）に示す、吊線の一端が電柱に固定された状態の一例を示す拡大図である。
【図７】上記図１（ｂ）に示す、吊線の他方側が、掴線装置及び張線装置等により電柱において支持された状態の一例を示す拡大図である。
【図８】上記図１（ｃ）に示す、吊線の他方側が、さらに別の掴線装置及び尻手ロープ等により電柱において支持された状態の一例を示す拡大図である。
【図９】従来の線状体の固定方法の一例を示す概略図であり、（ａ）は、吊線バンドの取り付け及び電柱間における引線の架け渡しに関する説明図、（ｂ）は、吊線の一方側の固定に関する説明図、（ｃ）は、吊線の他方側における掴線装置による支持に関する説明図、（ｄ）は、吊線の他方側の固定に関する説明図である。
【図１０】従来の吊線バンドを示す概略図である。
【図１１】従来の吊線の両端における掛止部（巻付グリップ）の構成を示す説明図である。
【符号の説明】
【００７９】
１  吊線（線状体）
１ａ  掛止部
１ｂ  余長部
２  尻手ロープ（第１の支持手段）
３、８  フック
７  尻手ロープ（第２の支持手段）
４  掴線装置（第１の掴線手段）
５  張線装置（張線手段）
６  掴線装置（第２の掴線手段）
２１  第１掴持片
２２  第２掴持片
２３  第１レバー
２４  第２レバー
２４ａ  取付孔（掛止用穴）
２８  脱落防止カバー
２９  作動規制部材
４０  掴線装置取付部
４２  本体部
４４  牽引部
４６  本体取付部
４３１  止爪
４４１  ワイヤ
４３０  ラチェットハンドル
４３０ａ  ハンドル部
４０１、４６１  ジョイントボルト
５０  尻手ワイヤ
５１、５２  フック部
６１  シンブル
９４  吊線
９４３  巻付グリップ
９５  吊線バンド
９６  引線
９７  掴線装置
９８  張線装置
１０１、１０２  掴持位置
Ｐ１〜Ｐ３  電柱
【図１】
2005184936.tif 000003
【図２】
2005184936.tif 000004
【図３】
2005184936.tif 000005
【図４】
2005184936.tif 000006
【図５】
2005184936.tif 000007
【図６】
2005184936.tif 000008
【図７】
2005184936.tif 000009
【図８】
2005184936.tif 000010
【図９】
2005184936.tif 000011
【図１０】
2005184936.tif 000012
【図１１】
2005184936.tif 000013